(57)【要約】【課題】刈刃自体に薬剤を含浸させたものでは、薬剤の塗布効果が不充分であり、刈取りと同時に薬剤液を、噴霧乃至散布する形態では構成煩雑で、多量の薬剤を必要とする。【解決手段】回転する刈刃１の刈刃軸２に、機体上に搭載の薬剤タンク３からこの刈刃１下面に薬剤を案内する薬剤案内路４を設けたことを特徴とする草刈機の薬剤塗布装置の構成とする。  又、前記案内路４は、この刈刃軸２の下部で分岐して下端部の刈刃１側へ向けて傾斜させた分岐路部５を形成したことを特徴とする草刈機の薬剤塗布装置とする。【選択図】図１
2007104974.tif 000002
【特許請求の範囲】
【請求項１】
回転する刈刃（１）の刈刃軸（２）に、機体上に搭載の薬剤タンク（３）からこの刈刃（１）下面に薬剤を案内する薬剤案内路（４）を設けたことを特徴とする草刈機の薬剤塗布装置。
【請求項２】
前記案内路（４）は、この刈刃軸（２）の下部で分岐して下端部の刈刃（１）側へ向けて傾斜させた分岐路部（５）を形成したことを特徴とする請求項１に記載の草刈機の薬剤塗布装置。
【請求項３】
前記刈刃（１）は、刈刃軸（２）に取付けられる支持プレート（６）の上側面に支持して取付け、これら支持プレート（６）と刈刃（１）との間に、前記案内路（４）から導入される薬剤を刈刃（１）下面へ案内する案内室（７）を形成したことを特徴とする請求項１、又は２に記載の草刈機の薬剤塗布装置。
【発明の詳細な説明】
【技術分野】
【０００１】
この発明は、草刈取り作業時に、刈取跡の雑草の切り口部に生育抑制等の薬剤を塗布する草刈機の薬剤塗布装置に関する。簡単な構成で、円滑な薬剤塗布を行わせるものである。
【背景技術】
【０００２】
刈取跡の雑草の切り口に薬剤を塗布するために、薬剤を含浸させたナイロンカッターの構成としたり（例えば、特許文献１参照）、刈取と同時に薬剤を噴射して散布する散布装置や、この薬剤を刈刃軸の案内路を通して流下供給するように設ける等の技術（例えば、特許文献２，３参照）が知られている。
【特許文献１】特開平１０−１０８５２３号公報（第２項、図２）
【特許文献２】特開平０９−２８２６６号公報（第２項、図２）
【特許文献３】特開平０９−３２２６９３号公報（第４項、図１）
【発明の開示】
【発明が解決しようとする課題】
【０００３】
刈刃自体に薬剤を含浸させたものでは、薬剤の塗布効果が不充分であり、刈取りと同時に薬剤液を、噴霧乃至散布する形態では構成煩雑で、多量の薬剤を必要とする。
【課題を解決するための手段】
【０００４】
請求項１に記載の発明は、回転する刈刃１の刈刃軸２に、機体上に搭載の薬剤タンク３からこの刈刃１下面に薬剤を案内する薬剤案内路４を設けたことを特徴とする草刈機の薬剤塗布装置の構成とする。草刈取時に薬剤タンク３から刈刃軸２内の薬剤案内路４に案内される薬剤は、この刈刃軸２下端の刈刃１の下面に沿って塗着するように流出、乃至浸出される。この刈刃１の回転により刈取った直後の刈跡雑草の切り口端面に、この刈刃１の下面に浸出して付着している薬剤を刈取切断と同時に塗布する。
【０００５】
請求項２に記載の発明は、前記案内路４は、この刈刃軸２の下部で分岐して下端部の刈刃１側へ向けて傾斜させた分岐路部５を形成したことを特徴とするものである。案内路４を流下される薬剤は、この刈刃軸２下端部から外方へ傾斜の分岐路部５に案内されて、外方へ拡散されるようにして刈刃１の下面に浸出して付着される。この分岐路部５は案内路４と共に刈刃軸２と一体回転されていて遠心力作用が働いているため、この分岐路部５の傾斜に沿って回転外周側への薬剤の拡散浸出が行われ易い。
【０００６】
請求項３に記載の発明は、前記刈刃１は、刈刃軸２に取付けられる支持プレート６の上側面に支持して取付け、これら支持プレート６と刈刃１との間に、前記案内路４から導入される薬剤を刈刃１下面へ案内する案内室７を形成したことを特徴とするものである。刈刃軸２の案内路４を流下する薬剤は、案内室７に導入されて、この案内室７から刈刃１の下面に沿って浸出して付着される。この支持プレート６は刈刃１を刈刃軸２に対して取付支持するもので、この支持プレート６と刈刃１との間に案内室７を形成して、この案内室７から刈刃１の切断部近くへ薬剤浸出を案内する。
【発明の効果】
【０００７】
請求項１に記載の発明は、薬剤を刈刃軸２に形成された薬剤案内路４を経て、この下端に取付けられる刈刃１の下面に案内させるように流出、乃至浸出させるものであるから、薬剤の刈刃１下面に対する連続的浸出付着量を必要最小限に維持させることが容易であり、無駄をなくすることができ、この薬剤を刈刃１の下面で雑草切断と同時に直接切り口端面にのみ塗布、乃至塗着して、効果的な薬剤塗布を維持できる。又、この構成も簡潔にすることができる。
【０００８】
請求項２に記載の発明は、刈刃１の下面側へ薬剤を案内する分岐路部５が、案内路４の一部として刈刃軸４の下端部に形成されるため、刈刃取付部等の邪魔になり難く、構成が簡潔であると共に、この分岐路部５の傾斜形成によって案内される薬剤の遠心作用による吸引流出が円滑に行われ、刈刃１下面に対する浸出付着を連続的に行わせて安定させることができる。
【０００９】
請求項３に記載の発明は、刈刃１は支持プレート６に支持されて安定した支持構成を維持することができ、この支持プレート６と上側に支持される刈刃１との間に形成の案内室７によって薬剤を案内するため、薬剤をこの回転する刈刃１の先端切断部近くまで案内させて、刈刃１下面への薬剤付着を均一化、安定させることができる。
【発明を実施するための最良の形態】
【００１０】
図面に基づいて、草刈機は、エンジン１０を搭載して駆動走行される車体１１の前側に左右一対の刈刃軸２が配置される。この車体１１の後上部にはハンドルフレーム１２，及び後端のハンドル１３が設けられ、前方にはゲージホイル１４がホイルアーム１５によって支持される。刈刃軸２の後側には車輪１６が軸装１７されて、該エンジン１０から車体１１及び車輪ケース１８内の伝動機構を介して伝動回転されて走行される。この車体１１の前部に左右一対の刈刃軸２が立設されて、ベルト１９によって各々連動回転される。各刈刃軸２の下部には翼板形態の刈刃１が上下二段に設けられ、しかも上下の刈刃１相互間は回転位相をずらせて配置される。この刈刃１の回転上部は刈刃カバー２０で覆われる。又、ハンドル１３部には走行クラッチレバー２２や、ハンドル回動レバー２３等が配置される。
ここにおいて、この発明に係る薬剤塗布装置は、回転する刈刃１の刈刃軸２に、機体上に搭載の薬剤タンク３からこの刈刃１下面に薬剤を案内する薬剤案内路４を設けたことを特徴とする草刈機の薬剤塗布装置の構成とする。草刈取時に薬剤タンク３から刈刃軸２内の薬剤案内路４に案内される薬剤は、この刈刃軸２下端の刈刃１の下面に沿って塗着するように流出、乃至浸出される。この刈刃１の回転により刈取った直後の刈跡雑草の切り口端面に、この刈刃１の下面に浸出して付着している薬剤を刈取り切断と同時に塗布する。
【００１１】
前記案内４は、この刈刃軸２の下部で分岐して下端部の刈刃１側へ向けて傾斜させた分岐路部５を形成したことを特徴とするものである。案内路４を流下される薬剤は、この刈刃軸２下端部から外方へ傾斜の分岐路部５に案内されて、外方へ拡散されるようにして刈刃１の下面に浸出して付着される。この分岐路部５は案内路４と共に刈刃軸２と一体回転されていて遠心力作用が働いているため、この分岐路部５の傾斜に沿って回転外周側への薬剤の拡散浸出が行われ易い。
前記刈刃１は、刈刃軸２に取付けられる支持プレート６の上側側面に支持して取付け、これら支持プレート６と刈刃１との間に、前記案内路４から導入される薬剤を刈刃１下面へ案内する案内室７を形成したことを特徴とするものである。刈刃軸２の案内路４を流下する薬剤は、案内室７に導入されて、この案内室７から刈刃１の下面に沿って浸出して付着される。この支持プレート６は刈刃１を刈刃軸２に対して取付支持するもので、この支持プレート６と刈刃１との間に案内室７を形成して、この案内室７から刈刃１の切断部近くへ薬剤浸出を案内する。
【００１２】
左右各刈刃軸２は、車体１１の下側に装着された支持アーム２４に軸受メタル２５を介して回転自在に支持される。又、この支持アーム２４の上側には、ベルト１９等の伝動機構上を覆う伝動カバー２６が設けられて、この伝動カバー２６に対して刈刃軸２の上端部を軸受けさせている。これら各刈刃軸２の上端から下端にわたって中心部に沿って薬剤（液体）を流通案内するための案内路４を形成している。この刈刃軸２の下端部には、刈刃１を上下二段にわたって直板形態の刈刃１を回転位相を略９０度ずらせた状態にして配置すると共に、この上段の刈刃１の取付位置から下端部にわたって該案内路４を二又形態に分岐して、下端外方へ向けて斜め方向に向う形態の分岐路部５を形成する。これら各刈刃１は刈刃ボス２７に一体的に取付けられていて、この刈刃ボス２７を刈刃軸２の下端部に嵌合させて、下側からセットボルト２８を螺挿して取付固定する構成としている。このセットボルト２８を螺挿するボルト穴２９は前記分岐路部５の中央間隔部に形成される。該下段の刈刃１は、刈刃ボス２７に取付けられた凹字形断面の支持プレート６の上面内に重合嵌合させる形態にして構成している。刈刃１は中央部の刈刃軸２部に嵌合させる軸穴３０部に対向する刃幅を最広幅に形成すると共に、両端の刃縁３１を有する部分にわたって狭幅に形成している。該支持プレート６の回転方向前後に沿って形成される立上縁部３２をこの刈刃１の形状に沿わせた形態に構成している。そして、各刈刃１の刃縁３１はこの支持プレート６の両端から外方へ突出させている。前記分岐路部５は、二又状に形成したが、刃板１の放射状配置板数等に応じて三又状等に形成することもできる。
【００１３】
このような支持プレート６の中央部にはセットボルト２８を嵌挿する取付穴３２を形成し、この支持プレート６の取付穴３２周部を刈刃軸２の下端面に重合させてセットボルト２８で締付けて取付ける。このとき、支持プレート６と刈刃軸２の下端面との間には、該分岐路部５よりも内周部においてシールリング３３を介在させて、薬剤がボルト穴２９側へ漏出しないように構成している。これら支持プレート６と刈刃１との間には案内室７が形成されて、この案内室７の軸２心側には、前記分岐路５の下端部が連通され、外側端部には薬剤を浸出させるスリット穴等の浸出口３４を形成する。又、この案内室７内は、単なる薬剤溜室の形態とすることもできるが、スポンジの如き薬剤浸出流動性のよい抵抗材を充填して、薬剤の遠心力による流動性抑制して、薬剤を連続して流出させるように維持して、刈刃１の下面に沿って浸出するように構成することができる。又、前記浸出口３４を形成する口材３５を合成樹脂製等で構成して、支持プレート６と刈刃１との間に介在させて、この口材３５の上面に細溝状の浸出口３４を、刈刃１の回転方向に対して後退角を形成する状態に形成し、しかもこの浸出口３４は案内室７の底面から外側口端部にわたって順次上り傾斜底面３６に形成して、薬剤が残留することなく流出するように構成している。このような支持プレート６による案内室７の構成は、薬剤の塗布が下段の刈刃１によって最も低く刈取られた雑草の切り口にのみ塗布されることで十分であるため、複数の刈刃１が上下数段にわたって配置される形態にあっては、最下段の刈刃１部においてのみ設ける。
【００１４】
前記刈刃軸２の上端部を軸受する伝動カバー２６に対する軸受部は、軸受筒４０を伝動カバー２６に固定し、この軸受筒４０の内側に刈刃軸２の上端部をベアリング４１を介して軸受けしている。この軸受筒４０の上端には薬剤を供給するパイプ４２を取付蓋４３によって支持して取付け、このパイプ４２の下端部を、回転する刈刃軸２上端部の案内路４上端口部に嵌合させて連通し、この嵌合部はシールリング４４を介装して薬剤の軸受筒４０内への漏出を防止している。前記タンク３はこの伝動カバー２６上の左右の取付蓋４３間にわたって一体に取付支持される門形状の取付ベース４５上面に取付けて、このタンク３の給液口４６と左右のパイプ４２の上端部との間をホース４７で連結して、このタンク３内の薬剤を各刈刃軸２の案内路４へ流下供給するように構成している。又、この軸受筒４１の内周面と刈刃軸２上端外周面との間にシール４８を設けて、軸受筒４０の内部に薬剤が漏出しても外部へは漏れない形態としている。該ホース４７は比較的柔かい構成で、挟持器４９によって挟むことによってこのホース４７を流下する薬剤流量を適宜に調節できる形態としている。この挟持器４９には調節ダイヤル５０によってホース４７を挟持し、このホース４７の挟持力を調節することができる。５２は給液口４６に設けたコックである。５３は前記ベルト１９を掛けわたすプーリで、伝動カバー２６下部の各刈刃軸２に一体に取付けられる。
【００１５】
草刈作業時は、コック５２を開けて薬剤を供給する状態にする。ホース４７を経て刈刃軸２の案内路４へ流下供給される薬剤は、この下端の分岐路部５を経て最下段の刈刃１の下側に形成される案内室７へ流入されて、この案内室７に満たされる。刈刃軸２及び刈刃１の回転により雑草刈取時には、これら分岐路部５や案内室７内の薬剤には遠心力が働いて、外方への流動性が強くなり、案内路４の薬剤を吸収するように連続して供給させる。案内室７へ流下案内された薬剤は、浸出口３４から最下段の刈刃１の下面に沿って浸出されて塗着されるように連続付着される。この最下段の刈刃１によって切断された草が最も短くなって、この草の切り口端面に刈刃１下面が摺接するとき、この刈刃１の下面に浸出して塗着、乃至付着されるように供給される薬剤を、この刈刃１で切断すると同時に、この草の切り口部に直接塗布して雑草の生長抑制を行うものである。このようにして刈刃１の下面に浸出させる薬剤量は少量にして、しかも均一量に維持することができる。そして、少量でありながら刈刃１の下面に連続的に付着するように供給される薬剤を、この刈刃１の回転で刈取切断した草の切り口部に直接塗布することによって薬剤効果を効率良く維持する。又、前記刈刃軸２の案内路４、及び分岐路部５等の構成は、同一刈刃軸２内に沿って接合部間の間隙等を生じない形態として構成されて、この分岐路部５を流下したり、案内室７部に流下供給された薬剤が遠心作用によって外方へ流動されて刈刃１の下面に浸出されるとき、この案内路４に有効で安定した吸引力を働かせて、薬剤の供給量を一定量に安定させることができる。案内路４は刈刃軸２の内部に形成されて、下端部の分岐路部５を直接案内室７に連結するため、気密形態の構成が容易で、途中での外気吸入を防止して遠心力による薬剤吸引供給を的確に行わせる。
【図面の簡単な説明】
【００１６】
【図１】刈刃軸部の正面図。
【図２】その刈刃部の平面図。
【図３】その案内室部の拡大正断面図と平面図。
【図４】刈刃軸上端軸受部の拡大正面図。
【図５】草刈機の側面図。
【図６】その平面図。
【符号の説明】
【００１７】
１    刈刃
２    刈刃軸
３    タンク
４    案内路
５    分岐路部
６    支持プレート
７    案内室
【図１】
2007104974.tif 000003
【図２】
2007104974.tif 000004
【図３】
2007104974.tif 000005
【図４】
2007104974.tif 000006
【図５】
2007104974.tif 000007
【図６】
2007104974.tif 000008